(57)【要約】【課題】本発明は卓上用空気清浄装置に関するもので、スペースの有効利用を図ってデッドスペースの発生を抑え、小型化できるものである。【解決手段】本発明は、吸気口３と吹出口２を有する本体ケース１と、本体ケース１内に設けられた送風機５と空気清浄フィルタ６とを備えている。送風機５によって吸気口３から吸い込まれた空気が空気清浄フィルタ６を介して吹出口２へ送風される。吸気口３は本体ケース１の背面に配置され、吹出口２は本体ケース１の前面に設けられ、送風機５と吸気口３との間に空気清浄フィルタ６を備えている。送風機５は、回転軸が本体ケース１における前後方向へ延び、本体ケース１における背面から前面方向へ送風する軸流タイプであり、吸気口３と空気清浄フィルタ６と送風機５と吹出口２とが対向しているものである。【選択図】図２
2018138281.tif 000002
【特許請求の範囲】
【請求項１】
吸気口と吹出口を有する箱形状の本体ケースと、
前記本体ケース内に設けられた送風機と空気清浄フィルタとを備え、
前記送風機によって前記吸気口から吸い込まれた空気が前記空気清浄フィルタを介して前記吹出口へ送風され、
前記吸気口は前記本体ケースの背面に配置され、
前記吹出口は前記本体ケースの前面に設けられ、
前記送風機と前記吸気口との間に前記空気清浄フィルタを備え、
前記送風機は、回転軸が前記本体ケースにおける前後方向へ延び、前記本体ケースにおける背面から前面方向へ送風する軸流タイプであり、
前記吸気口と前記空気清浄フィルタと前記送風機と前記吹出口とが対向していることを特徴とする卓上用空気清浄装置。
【請求項２】
前記本体ケースの上部に操作部を設け、
前記本体ケース内に前記操作部の操作に応じて前記送風機を制御する制御基板部を備え、前記制御基板部は前記送風機および前記吹出口より下方に設けたことを特徴とする請求項１に記載の卓上用空気清浄装置。
【請求項３】
前記吹出口は、右吹出口と左吹出口とを備え、
前記右吹出口は前記本体ケースの前面側から見て右側に配置され、前記左吹出口は前記本体ケースの前面側から見て左側に配置され、
前記空気清浄フィルタと前記右吹出口とを連通する右風路と、
前記空気清浄フィルタと前記左吹出口とを連通する左風路とを備え、
前記右風路内には、右送風機を設け、
前記左風路内には、左送風機を設け、
前記本体ケースは、奥行き寸法が小さい横長の箱形状であり、
前記吸気口と前記空気清浄フィルタと前記右送風機と前記右吹出口とが対向し、
前記吸気口と前記空気清浄フィルタと前記左送風機と前記左吹出口とが対向することを特徴とする１または２に記載の卓上用空気清浄装置。
【請求項４】
前記右吹出口には風向を変更する右風向変更部材を設け、
前記左吹出口には風向を変更する左風向変更部材を設け、
前記右送風機と前記右風向変更部材との距離は、前記右送風機と前記空気清浄フィルタとの距離より大きく、
前記左送風機と前記右風向変更部材との距離は、前記左送風機と前記空気清浄フィルタとの距離より大きいことを特徴とする請求項３に記載の卓上用空気清浄装置。
【発明の詳細な説明】
【技術分野】
【０００１】
本発明は、机の上で使用し、空気を浄化することのできる卓上用空気清浄装置に関する。
【背景技術】
【０００２】
従来、この種の卓上用空気清浄装置の構成は以下のようになっていた。（例えば、特許文献１参照）
吸気口と吹出口を有する本体ケースと、本体ケース内に設けられた送風機と空気清浄フィルタとを備えていた。送風機によって吸気口から吸い込まれた空気が、空気清浄フィルタを介して吹出口へ送風される。吸気口は本体ケースの側面に配置され、吹出口は本体ケースの上面に設けられ、送風機と吹出口との間に空気清浄フィルタを備えている。送風機は、回転軸が本体ケースにおける上下方向へ延び、本体ケースにおける上方向へ送風する軸流タイプである。
【先行技術文献】
【特許文献】
【０００３】
【特許文献１】特開昭５５−６７３１６号公報
【発明の概要】
【発明が解決しようとする課題】
【０００４】
このような従来の卓上用空気清浄装置においては、吸気口と、空気清浄フィルタと、送風機と、吹出口とが一直線上に配置されていないので、風路が複雑になり、デッドスペースが発生し、本体ケースが大きくなる。
【０００５】
そこで本発明は、本体ケースに対する吸気口、空気清浄フィルタ、送風機、吹出口の配置を改良して、スペースの有効利用を図ってデッドスペースの発生を抑え、小型化を目的とするものである。
【課題を解決するための手段】
【０００６】
そしてこの目的を達成するために本発明は、吸気口と吹出口を有する本体ケースと、前記本体ケース内に設けられた送風機と空気清浄フィルタとを備え、前記送風機によって前記吸気口から吸い込まれた空気が前記空気清浄フィルタを介して前記吹出口へ送風され、前記吸気口は前記本体ケースの背面に配置され、前記吹出口は前記本体ケースの前面に設けられ、前記送風機と前記吸気口との間に前記空気清浄フィルタを備え、前記送風機は、回転軸が前記本体ケースにおける前後方向へ延び、前記本体ケースにおける背面から前面方向へ送風する軸流タイプであり、前記吸気口と前記空気清浄フィルタと前記送風機と前記吹出口とが対向していることを特徴としたものであり、これにより、初期の目的を達成するものである。
【発明の効果】
【０００７】
以上のように本発明は、吸気口と吹出口を有する本体ケースと、前記本体ケース内に設けられた送風機と空気清浄フィルタとを備え、前記送風機によって前記吸気口から吸い込まれた空気が前記空気清浄フィルタを介して前記吹出口へ送風され、前記吸気口は前記本体ケースの背面に配置され、前記吹出口は前記本体ケースの前面に設けられ、前記送風機と前記吸気口との間に前記空気清浄フィルタを備え、前記送風機は、回転軸が前記本体ケースにおける前後方向へ延び、前記本体ケースにおける背面から前面方向へ送風する軸流タイプであり、前記吸気口と前記空気清浄フィルタと前記送風機と前記吹出口とが対向していることを特徴とするものである。
【０００８】
以上のように本発明は、吸気口と、空気清浄フィルタと、送風機と、吹出口とが対向するように配置し、スペースの有効利用を図ってデッドスペースの発生を抑え、小型化できる。
【図面の簡単な説明】
【０００９】
【図１】本発明の実施の形態１の卓上用空気清浄装置の斜視図
【図２】同卓上用空気清浄装置の斜視図
【図３】同卓上用空気清浄装置の断面図
【図４】同卓上用空気清浄装置の断面図
【図５】同卓上用空気清浄装置の送風機の斜視図
【発明を実施するための形態】
【００１０】
以下、本実施形態を添付図面を用いて説明する。
（実施の形態１）
図１は、本発明の実施の形態１の卓上用空気清浄装置の斜視図であり、前面側から見た図である。図２は、本発明の実施の形態１の卓上用空気清浄装置の斜視図であり、背面側から見た図である。図３は、本発明の実施の形態１の卓上用空気清浄装置の断面図であり、右側から見た図である。
【００１１】
図１、図２および図３に示すように、本実施形態の卓上用空気清浄装置は、奥行き寸法が小さい横長の箱形状の本体ケース１を有している。本体ケース１の前面には吹出口２を設け、背面には横長の四角形状の吸気口３を配置している。吸気口３には、プレフィルタ４が装着されている。本体ケース１内には、送風機５と空気清浄フィルタ６とを備えている。送風機５によって吸気口３から吸い込まれた空気が、プレフィルタ４、空気清浄フィルタ６、送風機５を介して吹出口２へ送風される。
【００１２】
図４は、本発明の実施の形態１の卓上用空気清浄装置の断面図であり、上方から見た図である。
【００１３】
図３、および図４に示すように、吹出口２は、四角形状の右吹出口７と左吹出口８とを備えている。右吹出口７は、本体ケース１の前面側から見て右側に配置され、左吹出口８は本体ケース１の前面側から見て左側に配置されている。右吹出口７には、左右方向に風向を変更する右風向変更部材９を備え、右風向変更部材９は、右吹出口７に左右方向へ回動自在に設けられている。左吹出口８には、左右方向に風向を変更す左風向変更部材１０を備え、左風向変更部材１０は、左吹出口８に左右方向へ回動自在に設けられている。
【００１４】
プレフィルタ４は、吸気口３に着脱自在に設けられている。プレフィルタ４が捕集できる粉塵の大きさは、空気清浄フィルタ６が捕集できる粉塵の大きさに比べて大きい。
【００１５】
空気清浄フィルタ６は、濾材が蛇腹形状に折られたものであり、送風機５と吸気口３との間に配置されている。本体ケース１の背面から見ると、空気清浄フィルタ６と吸気口３とが重なり、ほぼ同じ大きさである。本体ケース１内には、空気清浄フィルタ６と右吹出口７とを連通する右風路１３と、空気清浄フィルタ６と左吹出口８とを連通する左風路１４とを備えている。右風路１３と左風路１４は、送風方向における断面形状は同じである。空気清浄フィルタ６は、プレフィルタ４と対向しているので、使用者がプレフィルタ４を吸気口３から外すと、プレフィルタ４の掃除ができると共に、空気清浄フィルタ６の掃除もできる。
【００１６】
送風機５は、回転軸（図示せず）が本体ケース１における前後方向へ延び、本体ケース１における背面から前面方向へ送風する軸流タイプである。送風機５は、右送風機１５と左送風機１６とを有している。右送風機１５は、右風路１３内に設けられ、左送風機１６は、左風路１４内に設けられている。本体ケース１の背面から見ると、右風路１３と右送風機１５とが重なり、ほぼ同じ大きさである。同様に、本体ケース１の背面から見ると、左風路１４と左送風機１６とが重なり、ほぼ同じ大きさである。
【００１７】
図５は、本発明の実施の形態１の卓上用空気清浄装置の送風機の斜視図である。
【００１８】
図４、および図５に示すように、右送風機１５は、モータ枠１７と、支持棒１８と、モータ１９と、羽根（図示せず）とを備えている。
【００１９】
モータ枠１７は、額縁形状で右風路１３の内面に接するように配置されている。モータ枠１７の内面から中央部に延びた複数の棒が支持棒１８である。支持棒１８の先端には、モータ１９が固定されている。複数の羽根が、モータ１９の周縁から外方に延びている。左送風機１６は、右送風機１５と同じ構成であり、モータ枠１７は、額縁形状で左風路１４の内面に接するように配置されている。
【００２０】
以上の構成において、吸気口３と空気清浄フィルタ６と送風機５（右送風機１５と左送風機１６）と吹出口２（右吹出口７と左吹出口８）とが対向する。具体的には、吸気口３と空気清浄フィルタ６と右送風機１５と右吹出口７とが対向し、吸気口３と空気清浄フィルタ６と左送風機１６と左吹出口８とが対向している。本体ケース１の背面から見ると、右送風機１５および左送風機１６と、空気清浄フィルタ６とが重なり、右送風機１５と左送風機１６とを並べた大きさと、空気清浄フィルタ６との大きさが、ほぼ同じ大きさである。
【００２１】
このように、吸気口３と、空気清浄フィルタ６と、送風機５（右送風機１５と左送風機１６）と、吹出口２（右吹出口７と左吹出口８）とを一直線上に配置するので、風路が複雑にならず、スペースの有効利用を図ってデッドスペースの発生を抑え、小型化できる。
【００２２】
図２、および図３に示すように、本体ケース１の上部に操作部２１を設け、本体ケース１内に操作部２１の操作に応じて送風機５を制御する制御基板部２２を備えている。
【００２３】
操作部２１は、送風機５の運転、停止、ノッチ等を切り替えることができる。操作部２１を押すと、制御基板部２２を介して送風機５が制御される。
【００２４】
制御基板部２２は、本体ケース１の背面側下部に設けられた電源コード２３と、操作部２１と電気的に接続されている。制御基板部２２は、四角板形状であり、制御基板部２２の下面が、本体ケース１の底面と対向するように配置されている。
【００２５】
制御基板部２２と電源コード２３は、送風機５および吹出口２より下方に設けられている。これにより、送風機５および吹出口２は、本体ケース１の底面よりも、制御基板部２２の高さ寸法分、上方に配置される。吹出口２が、本体ケース１の底面より上方に配置されるので、机の上で卓上用空気清浄装置を使用すると、机の上面より上方から送風するので、机の上面に沿って送風されることを抑制できると共に、送風機５および吹出口２の下方にデッドスペースが発生することを抑えることができる。
【００２６】
図４に示すように、右送風機１５と右風向変更部材９との距離Ａは、右送風機１５と空気清浄フィルタ６との距離Ｂより大きく、左送風機１６と左風向変更部材１０との距離Ｃは、左送風機１６と空気清浄フィルタ６との距離Ｄより大きい。
【００２７】
右風向変更部材９は、左右方向に回動するので、距離Ａが、距離Ｂより大きい方が、右風向変更部材９と右送風機１５との間で、乱流が抑制される。同様に、左風向変更部材１０は、左右方向に回動するので、距離Ｃが、距離Ｄより大きい方が、左風向変更部材１０と左送風機１６との間で、乱流が抑制される。結果として、右送風機１５から右風向変更部材９、および左送風機１６から左風向変更部材１０へ流れが均一になり、送風抵抗が低減されると考えられる。
【産業上の利用可能性】
【００２８】
以上のように本発明は、家庭用や事務所用などの、空気清浄装置として活用が期待されるものである。
【符号の説明】
【００２９】
１    本体ケース
２    吹出口
３    吸気口
４    プレフィルタ
５    送風機
６    空気清浄フィルタ
７    右吹出口
８    左吹出口
９    右風向変更部材
１０    左風向変更部材
１３    右風路
１４    左風路
１５    右送風機
１６    左送風機
１７    モータ枠
１８    支持棒
１９    モータ
２１    操作部
２２    制御基板部
２３    電源コード
【図１】
2018138281.tif 000003
【図２】
2018138281.tif 000004
【図３】
2018138281.tif 000005
【図４】
2018138281.tif 000006
【図５】
2018138281.tif 000007